(57)【特許請求の範囲】
【請求項１】
複数チャンネルの信号をクロスフェーダ装置の出力信号に基づく任意の割合で混合して混合出力を生成するミキサーと、
前記クロスフェーダ装置が、一方のチャンネルの信号を選択したとき、他方のチャンネルの信号をヘッドホンに出力するミュート回路とを備え、
前記ミュート回路は、前記クロスフェーダ装置の操作ノブの位置を検出する検出手段を備え、前記クロスフェーダ装置の操作ノブが前記一方のチャンネルのみを選択する位置にあるとき、前記他方のチャンネルの信号をヘッドホンの他方の側のみに出力し、
前記操作ノブが前記一方のチャンネルのみを選択する位置から所定量移動して、前記他方のチャンネルの信号のみを選択する位置にあるとき、前記一方のチャンネルの信号をヘッドホンの一方の側のみに出力することを特徴とするミキシング装置。
【発明の詳細な説明】
【０００１】
【発明の属する技術分野】
本発明はミキシング装置にかかり、特にクロスフェーダ装置に連動して左右チャンネルの出力を制御するミキシング装置に関する。
【０００２】
【従来の技術】
図３は、例えばディスクジョッキーが操作する従来のミキシング装置を示す図である。図において、１ａ，１ｂはそれぞれチャンネルａおよびチャンネルｂの入力端子（以下添字ａおよびｂによりチャンネルを表す）、２ａ，２ｂはレベル調整用のトリムボリウム、３ａ，３ｂは音質調整を行うイコライザである。４ａ，４ｂはボルテージコントロールアンプ、５はクロスフェーダ装置であり、クロスフェーダ装置５はボルテージコントロールアンプ４ａ，４ｂの増幅度を制御し、入力端子１ａおよび１ｂから入力した楽音信号をそれぞれ差動的に増幅する。６は前記差動的に増幅した入力信号を混合するミックスアンプ、７はマスターアンプ、８はスピーカ出力端子であり、マスターアンプの出力は出力端子８を介して図示しないスピーカに供給する。
【０００３】
１０はソースセレクタであり、イコライザー３ａ、３ｂおよびミックスアンプ６の出力のうちいずれかを選択する。１１はヘッドホンの音量を調整するヘッドホンボリウムであり、ソースセレクタ１０の出力信号振幅を調整してヘッドホンアンプ１２に供給する。１２はヘッドホンアンプ、１３はヘッドホン出力端子である。
【０００４】
前記ミキシング装置を用いて複数の音楽を連続して再生する場合は、再生操作を行う操作者、例えばディスクジョッキーはチャンネルaおよびチェンネルbにそれぞれ連続再生すべき音楽を入力しておき、そのうち例えばチェンネルaの音楽信号に対してチャンネルbの音楽信号のテンポおよびビートを合わせたのち、クロスフェーダ装置５を操作して、出力する音楽をチャンネルaからチャンネルbに切り換える。これによりスピーカ出力端子８からはチャンネルbの音楽が出力される。
【０００５】
前述のようにクロスフェーダ装置５の操作ノブをチャンネルａ側においた場合、スピーカからはチャンネルａの楽音信号が出力される。このとき操作者はソースセレクタ１０を操作してイコライザ３ｂを選択し、チャンネルｂの楽音信号をヘッドホン出力端子１３に出力する。
【０００６】
操作者はスピーカから再生されるチャンネルａの楽音信号およびヘッドホンから再生されるチャンネルｂの楽音信号をそれぞれ聴き取りながらチャンネルａの楽音信号に対してチャンネルｂの楽音信号のテンポおよびビートを合わせたのち、クロスフェーダ装置５を操作して出力端子８から出力する楽音をチャンネルａからチャンネルｂに切り換える。
【０００７】
次いで、操作者はチャンネルａに再生する楽音を他の楽音に切り換え、さらにソースセレクタ１０を操作してイコライザ３ａを選択し、チャンネルａの楽音信号をヘッドホン出力端子１３に出力する。この状態で、操作者はスピーカから再生されるチャンネルｂの楽音信号およびヘッドホンから再生されるチャンネルａの楽音信号をそれぞれ聴き取りながら、チャンネルｂの楽音信号に対してチャンネルａの楽音信号のテンポおよびビートを合わせたのち、クロスフェーダ装置５を操作して出力端子８から出力する楽音をチャンネルｂからチャンネルａに切り換える。
【０００８】
前記ヘッドホンの左チャンネルおよび右チャンネルからは一つの楽音の左右のチャンネルが出力されているため、前記スピーカが生成する一方のチャンネルの楽音を聴取すると同時に前記ヘッドホンが生成する他方のチャンネルの楽音を聴取するためには、一方の側のヘッドホンユニットのみを耳からずらすかまたは外すことが必要である。
【０００９】
【発明が解決しようとする課題】
以上説明したように、操作者は一方のチャンネル楽音信号のテンポおよびビートに他方のチャンネル楽音信号のテンポおよびビートを合わせたのち、一方のチャンネル楽音信号から他方のチャンネル楽音信号に出力信号を切り換える操作を繰り返し実行する。このとき、操作者はヘッドホンユニットの耳への装着および取り外し操作、およびソースセレクタ１０を切り換え操作を繰り返し実行することが必要となる。
【００１０】
本発明は前記課題に鑑みてなされたもので、ヘッドホンユニットの耳への装着および取り外し等の操作を必要としないミキシング装置を提供する。
【００１１】
【課題を解決するための手段】
本発明は、上記の課題を解決するために次のような手段を採用した。
【００１２】
複数チャンネルの信号をクロスフェーダ装置の出力信号に基づく任意の割合で混合して混合出力を生成するミキサーと、前記クロスフェーダ装置が、一方のチャンネルの信号を選択したとき、他方のチャンネルの信号をヘッドホンに出力するミュート回路とを備え、前記ミュート回路は、前記クロスフェーダ装置の操作ノブの位置を検出する検出手段を備え、前記クロスフェーダ装置の操作ノブが前記一方のチャンネルのみを選択する位置にあるとき、前記他方のチャンネルの信号をヘッドホンの他方の側のみに出力し、前記操作ノブが前記一方のチャンネルのみを選択する位置から所定量移動して、前記他方のチャンネルの信号のみを選択する位置にあるとき、前記一方のチャンネルの信号をヘッドホンの一方の側のみに出力する。
【００１３】
【発明の実施の形態】
以下に本発明の実施形態を図１ないし図２を用いて説明する。図１は本発明の実施形態にかかるミキシング装置を示す図、図２は図１の破線部の詳細を示す図である。これらの図において、９はヘッドホンモードセレクタであり、通常モード選択ボタン９１およびクロスフェーダモード選択ボタン９２を備え、通常モード選択ボタン９１を操作したとき、チャンネルａおよびチャンネルｂの入力信号をそれぞれソースセレクタ１０に供給し、クロスフェーダモード選択ボタン９２を操作したときチャンネルａおよびチャンネルｂの入力信号をそれぞれミックスアンプ１４に供給する。ソースセレクタ１０はチャンネルａ選択ボタン１０１、チャンネルｂ選択ボタン１０２およびマスター選択ボタン１０３を備え、チャンネルａ選択ボタン１０１を操作したときモードセレクタ９からチャンネルａの信号を受信し、チャンネルｂ選択ボタン１０２を操作したときモードセレクタ９からチャンネルｂの信号を受信し、マスター選択ボタン１０３を操作したときミックスアンプ６からミックスアンプ出力を受信し、受信信号のいずれかをヘッドホンボリウム１１に出力する。
【００１４】
１４はミックスアンプであり、モードセレクタ９からチャンネルａおよびチャンネルｂの信号を受信し、受信信号の左右のチャンネル信号をそれぞれ混合して、チャンネルａの混合信号１４１およびチャンネルｂの混合信号１４２を生成し、生成した混合信号をミュート回路１５に供給する。１５はミュート回路である。ミュート回路１５はクロスフェーダ装置５に連動して動作する。例えば、クロスフェーダ装置５の操作ノブ５１がチャンネルａ側にある場合にはチャンネルａ側の混合信号１４１をミュートして出力を禁止し、チャンネルｂ側の混合信号１４２のみを出力信号１５１として出力する。また、クロスフェーダ装置の操作ノブ５１がチャンネルｂ側にある場合にはチャンネルｂ側の混合信号１４２をミュートして出力を禁止し、チャンネルａ側の混合信号１４１のみを出力信号１５２として出力する。また、前記操作ノブ５１の位置を電圧値に変換して検出する検出手段をクロスフェーダ装置５に設け、例えば、操作ノブがチャンネルａ側にあるばあいにおいて、操作ノブをチャンネルｂ側に操作して、前記検出手段から出力される電圧値が予め設定した第１の閾値以下になったときチャンネルａ側の混合信号１４１をミュートして出力を禁止し、チャンネルｂ側の混合信号１４２のみを出力することができる。さらに操作ノブをチャンネルｂ側に操作して、前記検出手段から出力される電圧値が予め設定した第２の閾値以下になったときチャンネルｂ側の混合信号１４２をミュートして出力を禁止し、チャンネルａ側の混合信号１４１のみを出力することができる。なお、これらの図において図３に示される部分と同一部分については同一符号を付してその説明を省略する。
【００１５】
前記ミキシング装置を用いて複数の楽音を連続して再生する場合、操作者は、まず、クロスフェーダモード選択ボタン９２を操作し、チャンネルａおよびチャンネルｂの入力信号をそれぞれミックスアンプ１４に供給するように設定する。次に、例えばクロスフェーダ装置の操作ノブ５１をチャンネルａ側に操作する。操作ノブ５１をチャンネルａ側に操作すると、ヘッドホン出力端子１３に接続したヘッドホンの、例えば左チャンネルは無音であり、右チャンネルからはチャンネルｂの楽音が出力する。このため、操作者は左耳でスピーカから再生される楽音を聴取しながら、右耳でチャンネルｂの楽音を聴取することができる。
【００１６】
操作者はこの状態で、すなわち、スピーカから再生されるチャンネルａの楽音信号およびヘッドホンから再生されるチャンネルｂの楽音信号をそれぞれ聴き取りながらチャンネルａの楽音信号に対してチャンネルｂの楽音信号のテンポおよびビートを合わせたのち、クロスフェーダ装置５の操作ノブ５１を操作して出力端子８から出力する楽音をチャンネルａからチャンネルｂに切り換える。この状態では、ヘッドホン出力端子１３に接続したヘッドホンの、右チャンネルは無音であり、左チャンネルからはチャンネルａの楽音が出力する。
【００１７】
次いで、操作者はチャンネルａ側の楽音源を交換したのち再生を開始する。操作者はこの状態で、すなわち、スピーカから再生されるチャンネルｂの楽音信号およびヘッドホンから再生されるチャンネルａの楽音信号をそれぞれ聴き取りながらチャンネルｂの楽音信号に対してチャンネルａの楽音信号のテンポおよびビートを合わせたのち、クロスフェーダ装置５の操作ノブ５１を操作して出力端子８から出力する楽音をチャンネルｂからチャンネルａに切り換える。
【００１８】
以上説明したように、操作者はヘッドホンユニットを着脱する操作を繰り返すことなく、装着したままで一方のチャンネル楽音信号および他方のチャンネル楽音信号聴取することができる。また、クロスフェーダ装置５のノブ５１を操作するのみでヘッドホン出力を自動的に切り換えることができる。
【００１９】
【発明の効果】
以上説明したように本発明によれば、ヘッドホンユニットの装着および取り外しの繰り返し操作を必要としないミキシング装置を得ることができる。
【図面の簡単な説明】
【図１】本発明の実施形態にかかるミキシング装置を示す図である。
【図２】ミキシング装置の詳細を示す図である。
【図３】従来のミキシング装置を示す図である。
【符号の説明】
１ａ，１ｂ  入力端子
２ａ，２ｂ  トリムボリウム
３ａ，３ｂ  イコライザ
４ａ，４ｂ  ボルテージコントロールアンプ
５  クロスフェーダ装置
６  ミックスアンプ
７  マスターアンプ
８  スピーカ出力端子
９  モードセレクタ
１０  ソースセレクタ
１１  ヘッドホンボリウム
１２  ヘッドホンアンプ
１３  ヘッドホン出力端子
１４  ミックスアンプ
１５  ミュート回路
５１  操作ノブ
１４１，１４２  混合信号
１５１，１５２  出力信号
【図１】
0003834462.tif 000002
【図２】
0003834462.tif 000003
【図３】
0003834462.tif 000004